(57)【特許請求の範囲】
【請求項１】
便器ボウルの後部上面に温水洗浄装置を装着した洋式の便器であって、上記便器ボウルの上端の開口縁を形成したリム部の上面で温水洗浄装置の手前位置に水切り突条部を幅方向に亘って上方に突出形成し、水切り突条部を温水洗浄装置の前部に着脱自在に被着した前面カバーの内部に位置させたことを特徴とする温水洗浄装置を備えた便器の汚水浸入防止構造。
【請求項２】
前面カバーの内面と水切り突条部との間にリム部の上面に当接させた止水材を介装したことを特徴とする請求項１に記載の温水洗浄装置を備えた便器の汚水浸入防止構造。
【請求項３】
温水洗浄装置の前部を覆う前面カバーの下部にリム部の後部近傍まで延出した跳ね返り防止部を設けたことを特徴とする請求項１に記載の温水洗浄装置を備えた便器の汚水浸入防止構造。
【発明の詳細な説明】
【０００１】
【発明の属する技術分野】
本発明は、温水洗浄装置を備えた便器における温水洗浄装置と便器との隙間への汚水の浸入を防止する構造に関する発明である。
【０００２】
【従来の技術及び発明が解決しようとする課題】
従来から、図３及び図４に示すように、上部に便器ボウル１を備えると共に下部にスカート部８を備えた洋式便器において、温水洗浄装置２をリム部３の上面後部に載置させて備えるものがあった。ここでリム部３とは便器ボウル１の上端の開口縁を形成するものである。この温水洗浄装置を備えた便器においては、男子小用の場合、リム部３の前部上面に小便等の汚水Ｂを飛散させてしまうことがあり、リム部３の上面に飛散した汚水Ｂはリム部３の表面を伝って温水洗浄装置２の方向に移動し（図中矢印Ｃ）、便器と温水洗浄装置２との隙間Ａから毛細管現象によって温水洗浄装置２の内方に入り込んで付着してしまうものであった。
なお、図中５は、温水洗浄装置２の前面に着脱自在に装着される前面カバーである。
【０００３】
便器の通常の掃除においては、温水洗浄装置２は便器に取り付けたまま拭き掃除等をすることにより行われるものであるが、上述した便器と温水洗浄装置２との隙間Ａや温水洗浄装置２の内方に付着した汚水Ｂによる汚れは便器から温水洗浄装置２を取り外したりしないと除去することができないものであり、通常の掃除では除去されず、そのまま放置された汚水Ｂは汚水臭を発生させて便所における悪臭の原因になるものであった。
【０００４】
本発明は上記の点に鑑みてなされたものであり、小便等の汚水を清掃困難な場所に付着させないようにして汚水臭発生の防止を図る温水洗浄装置を備えた便器の汚水浸入防止構造を提供することを課題とするものである。
【０００５】
【課題を解決するための手段】
上記課題を解決するために本発明の請求項１に係る温水洗浄装置を備えた便器の汚水浸入防止構造は、便器ボウル１の後部上面に温水洗浄装置２を装着した洋式の便器であって、上記便器ボウル１の上端の開口縁を形成したリム部３の上面で温水洗浄装置２の手前位置に水切り突条部４を幅方向に亘って上方に突出形成し、水切り突条部４を温水洗浄装置２の前部に着脱自在に被着した前面カバー５の内部に位置させたことを特徴とする。これにより、リム部３の上面に沿って温水洗浄装置２の方向に流入する小便等の汚水Ｂが上記水切り突条部４によって温水洗浄装置２の手前で止水されるものであり、便器と温水洗浄装置２との隙間Ａへの汚水Ｂの浸入を防止できる。
【０００６】
また、請求項２に係る温水洗浄装置を備えた便器の汚水浸入防止構造は、請求項１において、前面カバー５の内面と水切り突条部４との間にリム部３の上面に当接させた止水材６を介装したことを特徴とする。これにより、リム部３の上面に沿って温水洗浄装置２の方向に流入する小便等の汚水Ｂを水切り突条部４に加えて止水材６によって二重に止水することができ、便器と温水洗浄装置２との隙間Ａへの汚水Ｂの浸入を更に強く防止できる。
【０００７】
また、請求項３に係る温水洗浄装置を備えた便器の汚水浸入防止構造は、請求項１において、温水洗浄装置２の前部を覆う前面カバー５の下部にリム部３の後部近傍まで延出した跳ね返り防止部７を設けたことを特徴とする。これにより、上記跳ね返り防止部７が便器ボウル１の開口に面した温水洗浄装置２の下部や温水洗浄装置２の陰になる部分のリム部３を覆うように配置され、温水洗浄装置２の下部方向に飛散した小便等の汚水Ｂを跳ね返り防止部７自身に付着させることで、温水洗浄装置２の下面や温水洗浄装置２の陰になる部分のリム部３への上記汚水Ｂの付着を防止できる。
【０００８】
【発明の実施の形態】
図１及び図２に本発明の実施の形態の例を示す。
【０００９】
図１には温水洗浄装置を備えた便器の分解斜視図を示すものである。この便器は、前部の上部に便器ボウル１を設けると共に下部にスカート部８を設け、上記便器ボウル１の上端の開口縁に上面視だ円状のリム部３を形成し、上記リム部３の上面に対して略面一に形成したロータンク載置部９を後部に設けた洋式の便器である。ロータンク載置部９の上面には、後部にロータンク１０が固定され、前部に温水洗浄装置２がリム部３の後部上面に亘って固定される。
【００１０】
この温水洗浄装置２は、用便後に用便者の陰部等に温水を当てて洗浄する装置であって、その前部に上記温水の発射口である洗浄ノズル１１を備えており、この洗浄ノズル１１が便器ボウル１の上面開口後部に位置されるように便器に固定される。つまり、温水洗浄装置２の前端部分が便器ボウル１の上面開口に臨ませるように配置されている。この温水洗浄装置２においては、その幅方向両端部分には便蓋１２及び便座１３が回転自在に枢支され、また、その前面には洗浄ノズル１１の保護をする前面カバー５が装着されるものである。
【００１１】
この温水洗浄装置２に装着した前面カバー５は、便器に対しては、リム部３の後部部分を覆うように幅方向に掛け渡して配置されており、つまり、前面カバー５の幅方向両端部分がリム部３の後部上面を覆うように配置されると共に、前面カバー５の幅方向中央部が便器ボウル１の開口１の後部部分を覆うように配置されるものである。ここで、上記前面カバー５の温水洗浄装置２への装着は、前面カバー５後部の上部２箇所に設けた係止突起（図示せず）を温水洗浄装置２前部の上部２箇所に設けた係止凹部１４に係止させると共に、前面カバー５後部の幅方向両端２箇所に設けた係止突起１５を温水洗浄装置２前部の幅方向両端上部２箇所に設けた係止凹部１６に係止させることで着脱自在に行われている。
【００１２】
なお、前面カバー５の前面部には開口部１７が形成され、また、前面カバー５の下部には後方に行くにつれて下方に位置するように延出した跳ね返り防止部７が形成されているが、前面カバー５を温水洗浄装置２に装着した際には、この開口部１７には上記洗浄ノズル１１が挿通されるものであり、また、上記跳ね返り防止部７はリム部３の後部近傍に至るように配置されるものである。つまり、上記跳ね返り防止部７は便器ボウル１の開口に面した温水洗浄装置２の下部や温水洗浄装置２の陰になる部分のリム部３を覆うように配置される。
【００１３】
上述したように、温水洗浄装置２に装着した前面カバー５は、温水洗浄装置２の手前位置のリム部３の上面を覆うように配置されているものであるが、この部分のリム部３の上面、つまり、リム部３の後部上面には幅方向に亘って上方に突出した水切り突条部４が形成されている。この水切り突条部４は、男子小用の際にリム部３の前部に飛散した小便等の汚水Ｂがリム部３を伝って後方に移動することを遮断、止水する（図中矢印Ｄ）ことを図って設けられている。つまり、水切り突条部４より後方部分のリム部３に小便等の汚水Ｂを浸入させないようにして、上記汚水Ｂの便器と温水洗浄装置２との隙間Ａへの浸入を無くすことを図っている。更に、本例では、上記水切り突条部４より後方部分のリム部３は前面カバー５により被覆しているから、上記水切り突条部４より後方部分のリム部３に小用時の小便等の汚水Ｂが直接飛散して付着することも無くしている。
【００１４】
また、本例においては、上記水切り突条部４の前部位置にリム部３の幅方向に亘ってその上面に当接させた止水材６が配置されている。この止水材６は樹脂成形されたパッキンで構成されており、水切り突条部４の前部と上記水切り突条部４の前部に対向する前面カバー５の内部部分との間に挟持されてリム部３の上面に押し付けられて配置されている。このように、止水材６を水切り突条部４の前部に備えたことから、上述した水切り突条部４と合わせて、リム部３の上面に沿って温水洗浄装置２の方向に流入する小便等の汚水Ｂを更に効果的に止水し、上記汚水Ｂの便器と温水洗浄装置２との隙間Ａへの浸入を無くすことを図っている。なお、あらかじめ前面カバー５の内面の水切り突条部４の前部に対向する部分に止水材６を取り付けておき、この前面カバー５を温水洗浄装置２に装着した際に、上記止水材６が水切り突条部４の前部及びリム部３の上面に弾接するような構造にすることも好ましいものである。このようにすると、前面カバー５を温水洗浄装置２に装着するだけで、簡単に止水材６を所定の位置に配置することができるものである。
【００１５】
このように本例では、水切り突条部４及び止水材６を設けたことで、リム部３の上面に沿って温水洗浄装置２の方向に流入する小便等の汚水Ｂを温水洗浄装置２の手前部分で確実に止水できる構造にしており、上記汚水Ｂが便器と温水洗浄装置２との隙間Ａから毛細管現象によって温水洗浄装置２の内方に入り込んで付着するようなことを無くしている。従って、通常の清掃で除去することが容易でない部分、例えば、便器と温水洗浄装置２との隙間Ａや温水洗浄装置２の内方等への汚水Ｂの浸入が防止されるものであって、また、上記水切り突条部４及び止水材６により止水された小便等の汚水Ｂは、前面カバー５を温水洗浄装置２から取り外して清掃を行うと便器から容易に除去できるものであるから、通常の清掃を行いさえすれば、上記汚水Ｂは便器から確実に除去されるものであり、汚水臭による便所の悪臭の発生を防ぐことができるものである。
【００１６】
更に言うと、上記水切り突条部４及び止水材６により止水された小便等の汚水Ｂは、通常、水切り突条部４及び止水材６を被覆した前面カバー５によって外方に露出されないものであることから、清潔感を有した便器の外観が維持されるものである。
【００１７】
また、本例では、上述したように前面カバー５下部の跳ね返り防止部７が、便器ボウル１の開口に面した温水洗浄装置２の下部や温水洗浄装置２の陰になる部分のリム部３を覆うように配置されることで、温水洗浄装置２の下部方向に飛散した小便等の汚水Ｂを跳ね返り防止部７自身に付着させて、温水洗浄装置２の下面や温水洗浄装置２の陰になる部分のリム部３への上記汚水Ｂの付着を防止していることから、外方から見えにくく通常の清掃では除去しにくい部分への汚水Ｂの付着をも無くしており、通常の清掃で除去されないおそれのある汚水Ｂの放つ汚水臭による便所の悪臭を防いでいるものである。つまり、跳ね返り防止部７自身に付着させた汚水Ｂは、温水洗浄装置２から前面カバー５を取り外すことで容易に清掃できることから、便器から汚水Ｂを除去できて汚水臭による便所の悪臭の発生が防止されるのである。
【００１８】
【発明の効果】
上記のように本発明の請求項１記載の発明にあっては、便器ボウルの後部上面に温水洗浄装置を装着した洋式の便器であって、上記便器ボウルの上端の開口縁を形成したリム部の上面で温水洗浄装置の手前位置に水切り突条部を幅方向に亘って上方に突出形成し、水切り突条部を温水洗浄装置の前部に着脱自在に被着した前面カバーの内部に位置させたので、リム部の上面に沿って温水洗浄装置の方向に流入する小便等の汚水を上記水切り突条部によって温水洗浄装置の手前で止水できるものであり、上記汚水の便器と温水洗浄装置との隙間への浸入を防止でき、従って、通常の清掃で除去することが容易でない部分、例えば、便器と温水洗浄装置との隙間や温水洗浄装置の内方等、への汚水の浸入が防止されるものであって、上記通常の清掃で除去されない汚水が放つ汚水臭による便所の悪臭を防止できるものである。
【００１９】
また、本発明の請求項２記載の発明にあっては、請求項１の効果に加えて、前面カバーの内面と水切り突条部との間にリム部の上面に当接させた止水材を介装したので、リム部の上面に沿って温水洗浄装置の方向に流入する小便等の汚水が水切り突条部に加えて止水材によって二重に止水されるものであり、便器と温水洗浄装置との隙間への汚水の浸入を更に強く防止でき、上記通常の清掃で除去されない汚水が放つ汚水臭による便所の悪臭を更に防止できるものである。
【００２０】
また、本発明の請求項３記載の発明にあっては、請求項１の効果に加えて、温水洗浄装置の前部を覆う前面カバーの下部にリム部の後部近傍まで延出した跳ね返り防止部を設けたので、上記跳ね返り防止部によって便器ボウルの開口に面した温水洗浄装置の下部や温水洗浄装置の陰になる部分のリム部を覆って、温水洗浄装置の下部方向に飛散した小便等の汚水を跳ね返り防止部自身に付着させることで温水洗浄装置の下面や温水洗浄装置の陰になる部分のリム部への上記汚水の付着を防止でき、また、跳ね返り防止部自身に付着させた汚水は温水洗浄装置から前面カバーを取り外して容易に清掃できることから、このような通常の清掃で除去されないおそれのある部分においても汚水臭による便所の悪臭の発生を防ぐことができるものである。
【図面の簡単な説明】
【図１】本発明の実施の形態の例を示す分解斜視図である。
【図２】同上の断面図であって、リム部の上面より上方は便器の幅方向端部部分での縦断面であり、リム部の上面より下方は便器の幅方向中央部分での縦断面である。
【図３】従来技術の例を示す分解斜視図である。
【図４】同上の断面図であって、リム部の上面より上方は便器の幅方向端部部分での縦断面であり、リム部の上面より下方は便器の幅方向中央部分での縦断面である。
【符号の説明】
１  便器ボウル
２  温水洗浄装置
３  リム部
４  水切り突条部
５  前面カバー
６  止水材
７  跳ね返り防止部
【図１】
0003888079.tif 000002
【図２】
0003888079.tif 000003
【図３】
0003888079.tif 000004
【図４】
0003888079.tif 000005